(57)【要約】【課題】  陰極線管(ＣＲＴ)の周囲に消磁コイルを取付け、又編組線を張設した受像機器であって、消磁コイルを取付ける為の保持具を利用して編組線がＣＲＴ面の定位置に密着すると共に、又消磁コイルの被覆を損傷することなく張設した受像機器の提供。【解決手段】  ＣＲＴ１１をキャビネットに取着する固定用金具１４，１４・・に設けた小さな穴１５，１５・・に係合部１７，１７・・を嵌めて保持具１３，１３・・を連結している。保持具１３は樹脂製であってフック部１６、伸縮可能な弾性部１８、及び上記固定用金具の穴１５に係合する係合部１７から成って、各コーナーの固定用金具１４に係合・連結した保持具１３のフック部１６には消磁コイル１２を係止してＣＲＴ１１の周囲に取付けられる。そしてフック部１６に形成した係止片２１には固定用金具間に掛架した編組線２３をＣＲＴ１１に密着するように張設するためのコイルバネ２４を係止している。【選択図】    図１ 
2005102064.tif 000002
【特許請求の範囲】
【請求項１】
陰極線管(ＣＲＴ)の周囲に消磁コイルを取付け、又編組線を張設した受像機器において、ＣＲＴをキャビネットに取着する固定用金具に設けた小さな穴に係合部を嵌めて保持具を連結し、該保持具は樹脂製であってフック部、伸縮可能な弾性部、及び上記固定用金具の穴に係合する係合部から成って、各コーナーの固定用金具に係合・連結した保持具のフック部には消磁コイルを係止してＣＲＴの周囲に取付け、そしてフック部に形成した係止片には固定用金具間に掛架した編組線をＣＲＴに密着するように張設する為のコイルバネを係止したことを特徴とする消磁コイル保持具を利用して編組線を張設した受像機器。
【請求項２】
上記編組線をＣＲＴの対角線上の固定用金具間に掛架し、該編組線をコイルバネのリング穴を通して張設した請求項１記載の消磁コイル保持具を利用して編組線を張設した受像機器。
【発明の詳細な説明】
【技術分野】
【０００１】
本発明は陰極線管(以下：ＣＲＴ)の外周面に取付けられる消磁コイルを保持する為の保持具を利用して編組線を張設した受像機器に関するものである。
【背景技術】
【０００２】
ＣＲＴのシャドウ・マスクは鉄板等の金属で出来ている為に受像機の据付け位置で決まる地磁気の方向に磁化され、この状態でピュリティがうまくとれている受像機でも、向きを変えるとシャドウ・マスクの残留磁気の為に電子ビームが曲げられて、ピュリティが悪くなる。そこで、受像機の位置を変えたときに、シャドウ・マスクの磁気を消磁することが必要であり、この目的の為に消磁コイルがＣＲＴに取付けられる。
【０００３】
消磁コイルをＣＲＴに取付ける際の作業性がよく、低コストで実現できる保持具が必要となり、従来において色々な保持具が知られている。特開２００１−２８５８８７号に係る「消磁コイル保持具」は、「ネジ穴を有するネジ止め部と押え部とより成り、ネジ止め部はＣＲＴの固定用金具を挟持する一対のツメを備えている。一対のツメによって消磁コイル保持具を固定用金具に仮固定し、消磁コイル保持具と共にＣＲＴをキャビネットにネジ止めする。ＣＲＴの周囲部に消磁コイルを配置し、押え部を折り曲げて押え付ける。」ように構成している。
【０００４】
しかし、上記保持具には折り曲げ部分及び穴を設け、又押え部を被覆している為に、該保持具の製造工程が多くなって製造単価は高くなる。そして、保持具を作る上での製造工程の増加に伴い、金型代が高くなってしまう。又、ＣＲＴの周囲に消磁コイルを配置し、保持具の押え部を曲げて固定する為に、押え方によっては消磁コイルが弛んだり、消磁コイルの取付け位置にバラツキが生じる。そして、ＣＲＴの周囲に消磁コイルを配置した後、保持具の押え部を折り曲げて消磁コイルが外れないように固定する工程を必要とする。
【０００５】
その他にも、特開２００１−９５００３号に係る「消磁コイルの取付構造」、特開平７−２８２７２６号に係る「コイルクランプ」なども従来技術であるが、ワンタッチ方式で消磁コイルをＣＲＴに簡単に取付けることは出来ない。
【０００６】
そこで、出願人は平成１４年１２月２５日付けで、「消磁コイルの保持具」に関する特許出願を行っている(特願２００２−３７４１４９号)。この「消磁コイルの保持具」は、陰極線管(ＣＲＴ)の周囲に消磁コイルを取付ける為の保持具において、該保持具は樹脂製であって消磁コイルが係止するフック部、ＣＲＴをキャビネットに取着する固定用金具に設けた小さな穴に嵌って係合する係合部、及び伸縮可能な弾性部から構成している。
【０００７】
一方、受像機器の位置を変えたときに、シャドウ・マスクの磁気を消磁する目的でＣＲＴには消磁コイルが取付けられるが、該ＣＲＴのアースをとるために上記消磁コイルの他に編組線が張設されている。図８は従来の編組線の張設形態を示しているが、ＣＲＴ５を固定している固定用金具１にコイルバネ２の一端を係止し、そして該コイルバネ２の他端に編組線３を連結し、別の固定用金具１に連結して該編組線３をＣＲＴ５の対角線上に張設している。
【０００８】
消磁コイル４はＣＲＴ５の各コーナーに設けている固定用金具１，１・・に連結している保持具６，６・・に係止してＣＲＴ５の周囲に取付けられている。このように編組線３が固定用金具１に連結したコイルバネ２を介して張設される場合、該コイルバネ２が消磁コイル４に接して該消磁コイル４の被覆が破れてショートする危険性がある。又、保持具６とコイルバネ２が隣り合って互いに接することになり、その結果、消磁コイル４及び編組線３の位置ズレを発生して、これらの作用・効果に支障を来たす場合がある。
【特許文献１】特開２００１−２８５８８７号に係る「消磁コイル保持具」
【特許文献２】特開２００１−９５００３号に係る「消磁コイルの取付構造」
【特許文献３】特開平７−２８２７２６号に係る「コイルクランプ」
【発明の開示】
【発明が解決しようとする課題】
【０００９】
このように、従来の編組線を張設する場合、消磁コイルとの関係で上記のごとき問題がある。本発明が解決しようとする課題はこれら問題点であり、消磁コイルの被覆を破ることなく安定して編組線及び消磁コイルの取付けが出来、しかも消磁コイル用の保持具を利用してワンタッチ方式で手軽に編組線を張設した受像機器を提供する。
【課題を解決するための手段】
【００１０】
本発明に係る受像機器は、消磁コイルをＣＲＴに取付ける保持具を利用して編組線を張設する取付け構造と成っている。そこで、ＣＲＴをキャビネットに固定する為にコーナー部に備える固定用金具に保持具を連結し、該保持具に形成したフック部に消磁コイルを係止する保持構造と成っている。該保持具は固定用金具に設けた穴に嵌って係合する係合部と、消磁コイルを係止するフック部、そして係合部とフック部の間で長さ方向に伸縮可能な弾性部により構成し、これら各部は樹脂を材質として一体的に成形されている。
【００１１】
ただし、フック部、係合部、及び弾性部の形状に関しては特に限定せず、ＣＲＴの固定用金具には、キャビネットにネジ止めする穴とは別に小径の穴が設けてあり、該穴に係合部を曲げ変形して挿通し、抜けないように係合される。そして、保持具のフック部に消磁コイルを引っ掛けて所定の位置に取付ける。
一方、該保持具のフック部先端には係止片を形成し、該係止片にコイルバネの一端が係止して連結することが出来る構造としている。
【００１２】
そして、コイルバネの他端には編組線が係止するが、該編組線はＣＲＴを固定する固定用金具間に掛架され、該編組線の中間部位が上記コイルバネに係止して張設され、ＣＲＴ面に隙間なく密着することが出来る。そして、上記コイルバネは消磁コイルに接することはなく、その為に被覆を破壊することもない。
【発明の効果】
【００１３】
本発明では、消磁コイルの保持具はＣＲＴの周りに取付けられる消磁コイルを定位置に保持することが出来る。すなわち、ＣＲＴのコーナー部には固定用金具が取着され、該固定用金具に設けた小さな穴に係合部を挿入して止着し、先端のフック部に消磁コイルを嵌めて保持することが出来る。そして、該保持具には収縮することが出来るように弾性部が設けられている為に、消磁コイルは引っ張られてダブ付きは生じない。
【００１４】
消磁コイルの保持具は固定用金具にワンタッチで取付け出来ると共に消磁コイルをワンタッチでフックに係止することが可能であり、該消磁コイルの取付け作業は簡略化される。そして、固定用金具の穴に係合した係合部は外れることはない。一方、保持具は樹脂製であり、フック部、係合部、及び弾性部が一体成形されることで製作コストは安く、その形状は簡略化されている為に成形用金型の製作も簡単である。
【００１５】
そして、上記保持具の先端フック部に設けた係止片にはコイルバネの一端が係止して連結され、固定用金具間に掛架した編組線の中間部位を該コイルバネにて引っ張ることが出来、編組線は張設されてＣＲＴ面に密着することが出来、ＣＲＴのアースをとることが出来る。この場合、保持具に係止したコイルバネは消磁コイルに接することはなく、消磁コイルの被覆が破れてショートすることはない。又、コイルバネは保持具先端に連結される為に、互いに触れ合って位置ズレすることもなく、消磁コイル及び編組線は定位置に取付けられる。
【実施例】
【００１６】
図１はＣＲＴ１１の外周に巻き付けて消磁コイル１２を保持している場合を示している。消磁コイル１２はＣＲＴ１１に沿って取付けられ、その４箇所が保持具１３，１３・・にて支持されている。ＣＲＴ１１のコーナーにはキャビネットに固定する為に固定用金具１４，１４・・が取着されていて、該固定用金具１４，１４・・に保持具１３，１３・・が連結し、この保持具１３，１３・・に消磁コイル１２が係止して保持されている。
【００１７】
上記固定用金具１４には小さな穴１５が貫通して設けられ、この穴１５に保持具の係合部を係合して連結している。該係合部は収縮変形して小さな穴１５を挿通し、挿通したところで元の形状に復元した係合部は該穴１５から抜けることなく係合・止着される。
【００１８】
そして、先端のフック部には消磁コイル１２が嵌って係止しているが、薄板から成るフック部は変形することで開口し、開口から消磁コイル１２が挿入されて該フック部に係止・保持される。そして保持具１３には弾性部が形成されている為に、消磁コイル１２を引っ張ることが出来、その為に、ＣＲＴ１１に取付けられる消磁コイル１２はダブ付いてその位置が変わることはない。
【００１９】
一方、ＣＲＴ１１には編組線２３が張設され、対角線上にある固定用金具１４，１４に該編組線２３の両端が係止して連結され、その中間部位がコイルバネ２４にて引っ張られている。その為に編組線２３はＣＲＴ１１に密着し、該ＣＲＴ１１のアースをとることが出来る。ここで、編組線２３がダブ付かないように張設するコイルバネ２４の係止は、消磁コイル１２を保持する保持具１３が兼用している。
【００２０】
図２は消磁コイル１２の保持具１３を示す実施例である。該消磁コイル１２の保持具１３は、フック部１６、係合部１７、及び弾性部１８から成り、樹脂を材質として一体成形されている。フック部１６は概略Ｕ形を成して消磁コイル１２が嵌る為の溝１９を有し、フック部１６の先端２０を開くことで消磁コイル１２を溝１９に嵌めて係止することが出来る。そして、フック部１６には係止片２１が設けられ、該係止片２１にはコイルバネ２４が連結する小さな穴２２が形成されている。
【００２１】
係合部１７はＴ形を成し、該係合部１７はＣＲＴ１１の固定用金具１４の穴１５に係合して保持具１３が取付けられる。弾性部１８は波形に屈曲した形状を有し、該弾性部１８は引っ張ることで延びることが出来るように厚さを薄くしている。又、弾性部１８は伸縮し易いように軟質樹脂で構成することも可能である。
【００２２】
図３は消磁コイル及び編組線を保持する保持具１３を示す他の実施例であるが、基本的な形態は前記図２の保持具１３と共通している。従って、概略Ｕ形に湾曲したフック部１６、Ｔ形の係合部１７、及び弾性部１８から成っている。又、フック部１６には係止片２１が設けられ、該係止片２１にはコイルバネ２４が連結する小さな穴２２が形成されている。そして、弾性部１８は波形を成して引っ張ることで伸びることが出来る。
【００２３】
図４に示す消磁コイル１２の保持具１３は、同じくフック部１６、係合部１７、及び弾性部１８から成り、弾性部１８は伸縮出来るように中央に概略楕円形の穴２５が形成されている。又、フック部１６には同じく係止片２１が設けられ、該係止片２１にはコイルバネ２４が連結する小さな穴２２が形成されている。
図５に示す消磁コイル１２の保持具１３は弾性部１８の形状が湾曲していて、該弾性部１８が変形することで伸縮可能となる。
さらに図６の保持具１３は前記図３の保持具１３とほぼ同じ形状と成っている。ただし、係合部１７はＴ型でなく、矢印形と成っている。
【００２４】
図７は編組線２３を張設する為のコイルバネ２４を示している具体例である。該コイルバネ２４は両端にリング２６ａ，２６ｂを有し、一方のリング２６ａは保持具先端の係止片２１の穴２２に係止して連結され、他方のリング２６ｂには編組線２３が挿通している。図１に示しているように、該コイルバネ２４はある程度引き伸ばされることで、編組線２３はダブ付くことなく所定の張力が作用した状態で張設される。従って編組線２３はＣＲＴ１１に常に密着することが可能である。
【００２５】
一方の消磁コイル１２は、固定用金具１４，１４・・に連結した保持具１３，１３・・によって保持されているが、該保持具１３，１３・・の弾性部１８，１８・・の伸縮変形にて緊張状態でＣＲＴ１１の周りに取付けられている。そして、編組線２３を張設するコイルバネ２４は保持具先端の係止片２１に係止している為に、消磁コイル１２と接することはない。
【００２６】
以上述べたように、本発明の受像機器は消磁コイルの保持具先端に係止片を形成し、該係止片に係止したコイルバネを介して編組線をＣＲＴに張設したものである。
【図面の簡単な説明】
【００２７】
【図１】消磁コイルと編組線を取付けたＣＲＴ。
【図２】消磁コイル及び編組線の保持具を示す実施例。
【図３】消磁コイル及び編組線の保持具を示す実施例。
【図４】消磁コイル及び編組線の保持具を示す実施例。
【図５】消磁コイル及び編組線の保持具を示す実施例。
【図６】消磁コイル及び編組線の保持具を示す実施例。
【図７】編組線を張設する為のコイルバネ。
【図８】従来の編組線の張設形態。
【符号の説明】
【００２８】
1１  ＣＲＴ
12消磁コイル
13保持具
14固定用金具
15穴
16フック部
17係合部
18弾性部
19溝
20先端
21係止片
22穴
23編組線
24コイルバネ
25穴
26リング
【図１】
2005102064.tif 000003
【図２】
2005102064.tif 000004
【図３】
2005102064.tif 000005
【図４】
2005102064.tif 000006
【図５】
2005102064.tif 000007
【図６】
2005102064.tif 000008
【図７】
2005102064.tif 000009
【図８】
2005102064.tif 000010